(57)【特許請求の範囲】
【請求項１】
爪先から足首までの本体の上方に口ゴム部を連続させてなり、シリンダー径が３．５インチ以上のシングルシリンダ式の靴下編み機によって編成された靴下であって、
上記口ゴム部（１０）は、１４ｃｍ以上の長さを有して二重構造に構成され、編み糸とゴム糸とがパイル編みの１目毎に２目〜４目のシンカー乗せ編みにて編成されている一方、
上記本体（２０）の甲部分（１２）は足首（１６）から爪先に向けて裏パイルのパイル編み４〜６目毎に２目の平編みにて編成されていることを特徴とする靴下。
【請求項２】
上記本体（２０）の踵部分（１３）、足裏部分（１４）及び爪先部分（１５）が裏パイルのパイル編みにて編成されてなる請求項１記載の靴下。
【発明の詳細な説明】
【技術分野】
【０００１】
この発明は靴下に関し、特に厚手に編成できるとともに、足首を楽に曲げ伸ばしできるようにした靴下に関する。
【背景技術】
【０００２】
厳冬期には足もとが厳しく冷えることから、保温性に優れた靴下を着用することが多い。例えば、毛糸や毛アクリル混紡糸を用いてパイル編みによって編成し、パイルによって保温性を高めたニット靴下が知られている（特許文献１、特許文献２）。
【０００３】
また、靴下の本体部分を２本の編み糸と弾性糸を用いてパイル編みで編成し、履口部を５本の編み糸とゴム糸とを用いてパイルシンカー乗せ編みで編成し、全体として厚手に編成したニット靴下も提案されている（特許文献３）。
【０００４】
特許文献３記載のニット靴下は他のニット靴下に比較し、履口部の伸びが大きく、適度な締付け力が得られるとともに、シンカー乗せ編みの特性に起因して保温性に優れ、厳冬期の靴下としては最適であるが、編み糸の番手を大きくして厚手に製造しようとすると、編み糸の本数が制限されてしまい、厚手に製造することができないことがあった。
【０００５】
これに対し、本体部分と履口部とからなり、シリンダー径が５インチ以上のＢ式又はＫ式の靴下編み機によって編成された靴下であって、上記履口部は、１／１６番手ないし１／３６番手の毛アクリル混紡糸又は綿糸３本〜８本とゴム糸とがパイル編みの１目又は２目毎に２目〜４目のシンカー乗せ編みにて編成されるとともに、二重構造に構成されており、該二重構造の外層はシンカー乗せ編みの部分がゴム糸によって引っ張られて外側に膨らむように湾曲され、上記二重構造の内層はシンカー乗せ編みの部分がゴム糸によって引っ張られて内側に膨らむように湾曲されることによって上記履口部が厚手に形成されている靴下が提案されている（特許文献４）。
【先行技術文献】
【特許文献】
【０００６】
【特許文献１】登録実用新案第３０２００８号公報
【特許文献２】特開平０９−２１７２０５号公報
【特許文献３】意匠登録第１０３６０７３号公報
【特許文献４】特開２０１２−１２２１６３号公報
【発明の開示】
【発明が解決しようとする課題】
【０００７】
しかし、特許文献４記載の靴下では厚手に製造することができるものの、足首を曲げ難くなることから、足首前側部分の表糸を２〜３コース毎に抜くことによって薄いライン状の屈曲補助部分を形成することが行われていたが、筋力の弱い老人や要介護者などには依然として足首を曲げ難いことがあった。
【０００８】
本発明はかかる問題点に鑑み、厚手に編成できるとともに、楽に足首を曲げ伸ばしできるようにした靴下を提供することを課題とする。
【課題を解決するための手段】
【０００９】
そこで、本発明に係る靴下は、爪先から足首までの本体の上方に口ゴム部を連続させてなり、シリンダー径が３．５インチ以上のシングルシリンダ式の靴下編み機によって編成された靴下であって、上記口ゴム部は、１４ｃｍ以上の長さを有し、二重構造に構成され、編み糸とゴム糸とがパイル編みの１目毎に２目〜４目のシンカー乗せ編みにて編成されている一方、上記本体の甲部分の少なくとも足首近くは裏パイルのパイル編み４〜６目毎に２目の平編みにて編成されてなることを特徴とする。
【００１０】
本発明の特徴の１つは口ゴム部を長さ１４ｃｍ以上の二重構造に構成するようにした点にある。これにより、靴下を履いた人の足首から上方部位を十分な長さで包み込むことができる。
【００１１】
また、本発明の第２の特徴は口ゴム部をパイル編みの１目毎に２目〜４目のシンカー乗せ編みにて編成するようにした点にある。これにより、シンカー乗せ編みの特徴によって靴下を履いた人の足首から上方部位をゆったりと包み込むことができ、窮屈さを感じることが少ない。
【００１２】
また、本発明の第３の特徴は本体の甲部分の少なくとも足首近くを裏パイルのパイル編み４〜６目毎に２目の平編みにて編成するようにした点にある。これにより、２目の平編みによって両側のパイル編みの畦が中央に引っ張られ、甲部分の全体をパイル編みとした場合に比較して締付け力が大きく、フィット感を高めることができるとともに、足首前側部分の表糸を２〜３コース毎に抜くことによって薄いライン状の屈曲補助部分を形成する場合に比較して軽く曲げ伸ばしすることができ、筋力の弱い老人や要介護者などにも使用しやすい。
【００１３】
さらに、本体の甲部分を裏パイルのパイル編みと平編みの組合せとすると、パイル編みの畦の間の空気が足のぬくもりによって温められ、保温性能がよい。
【００１４】
本体の甲部分は少なくとも足首近くがパイル編みと平編みの組合せとすればよいが  、保温性能を考慮すると、甲部分の全体にわたってパイル編みと平編みの組合せとするのがよい。
【００１５】
本発明では保温性の点から毛アクリル混紡糸を用いるが、保温性と吸湿性が要求される場合には綿糸を用いることもできる。また、綿アクリル混紡糸、毛糸、絹糸、絹アクリル混紡糸等を用いることもできるが、本発明では毛アクリル混紡糸又は綿糸を用いるのが好ましい。
【図面の簡単な説明】
【００１６】
【図１】本発明に係る靴下の好ましい実施形態の表側の編み組織を示す図である。
【図２】上記実施形態の裏側の編み組織を示す図である。
【発明を実施するための形態】
【００１７】
以下、本発明を図面に示す具体例に基づいて詳細に説明する。図１及び図２は本発明に係る靴下の好ましい実施形態を示す。靴下は爪先から足首１６までの本体１０と本体１０上方に連続する口ゴム部１０とから構成され、シリンダー径が３．５インチ以上、針数６０本〜１６０本のシングルシリンダの靴下編み機によって編成されている。
【００１８】
口ゴム部１０は例えば１／２２番手の２本の毛アクリル混紡糸（以下、「毛混糸」という）を編み糸とし、これと９０番手の１本のゴム糸を用い、パイル編みを基本とし、パイル編みの１目毎に３目のシンカー乗せ編みにて２８ｃｍ以上の筒状に編成されるとともに、長さ１４ｃｍ以上の二重構造に折り返されて二重構造の内側部分の下端縁が外側部分下端縁の裏面直上にリンキング等によって縫合されている。
【００１９】
他方、靴下の本体２０は口ゴム部１０の外側部分の下端縁にリンキングによって連続され、本体２０の踵部分１３、足裏部分１４及び爪先部分１５は例えば１／２２番手の１本（又は２本）の毛混糸と４０デニールのポリウレタンを芯として７５デニールのポリエステルをカバーリングした２本のカバーリングヤーン（弾性糸）を用い、パイル編みにて裏パイルとなるように編成されている。
【００２０】
また、靴下の本体２０の甲部分１２は裏パイルのパイル編み組織１２Ａの３目毎に２目の平編み組織１２Ｂが足首１６から爪先に向けて編成されている。
【００２１】
シンカー乗せ編みを説明すると、表糸及びゴム糸（裏糸）をパイル編みにおけるシンカーの頭に乗せて編む方法であり、パイル編みは表糸をシンカーの頭に乗せ、ゴム糸を裏糸としてシンカーの頭に乗せずに編む方法である。また、パイルの高さはシンカーの頭の高さによって決まる。従って、シンカー乗せ編みでは伸縮弾性が小さく、伸びがパイル編みに比して２倍ないし３倍と大きく、締付けが小さくなる。
【００２２】
本例の靴下を製造する場合、シングルシリンダの靴下編み機を用いて口ゴム部１０から編み始める。まず、口ゴム部１０は例えば１／２２番手の２本の毛混糸と９０番手の１本のゴム糸を用い、パイル編みを基本とし、パイル編みの１目毎に３目のシンカー乗せ編みにて編成する。
【００２３】
口ゴム部１０が編み終わると、続いて靴下の本体２０を口ゴム部１０の終端縁１０Ｃから爪先に向けて編む。本体２０は例えば１／２２番手の１本（又は２本）の毛混糸と４０デニールのポリウレタンを芯として７５デニールのポリエステルをカバーリングした２本のカバーリングヤーンを用い、パイル編みにて裏パイルとなるように編成する。
【００２４】
このとき、本体１０の甲部１２についてはパイル編み６目毎に２目の平編みを足首１６から爪先に向けて編成する。本体２０が爪先まで編み終わると、爪先の開口縁１５をリンキング又はロッソにて縫合１５Ａするとともに、口ゴム部１０を二重に折り返して口ゴム部１０の内側端縁を外側端縁直上にリンキングによって縫合１０Ｂすることによって二重構造とする。
【００２５】
以上のように、口ゴム部１０を長さ１４ｃｍ以上の二重構造に構成するようにしたので、靴下を履いた人の足首から上方部位を十分な長さで包み込むことができる。
【００２６】
また、口ゴム部１０をパイル編みの１目毎に３目のシンカー乗せ編みにて編成するようにしたので、シンカー乗せ編みの特徴によって靴下を履いた人の足首から上方部位をゆったりと包み込むことができ、窮屈さを感じることが少ない。
【００２７】
さらに、本体２０の甲部分１２を裏パイルのパイル編み６目毎に２目の平編みにて編成するようにしたので、２目の平編みによって両側のパイル編みの畦１２Ａが中央に引っ張られ、甲部分１２の全体をパイル編みとした場合に比較して締付け力が大きく、フィット感を高めることができるとともに、軽く曲げ伸ばしすることができ、筋力の弱い老人や要介護者などにも使用しやすい。
【００２８】
さらに、本体２０の甲部分１２を裏パイルのパイル編みと平編みの組合せとしたので、パイル編みの隣接する畦１２Ａの間の空気が足のぬくもりによって温められ、保温性能がよい。
【符号の説明】
【００２９】
１０      口ゴム部
１２      甲部分
１２Ａ      パイル編みの畦
１２Ｂ      平編み
２０      本体
【図１】
0006562535.tif 000002
【図２】
0006562535.tif 000003